(57)【要約】【課題】風向を制御する風向変更羽根を具備している空気調和機において、設置された居室の条件に合わせて風向を制御し、在室者に快適性を提供する。【解決手段】吹出し口２から吹出される風の風向を制御する風向変更羽根４と、風向変更羽根４を動かす駆動手段６と、駆動手段６を制御する制御手段７と、風向変更羽根４の駆動範囲を指示する駆動範囲指示手段８とを有し、駆動範囲指示手段８からの信号を受けて、制御手段７が駆動手段６の動作範囲を規制する。【選択図】図１
2008122005.tif 000002
【特許請求の範囲】
【請求項１】
吹出し口から吹出される風の風向を制御する風向変更羽根と、前記風向変更羽根を動かす駆動手段と、前記駆動手段を制御する制御手段と、前記風向変更羽根の駆動範囲を指示する駆動範囲指示手段とを有し、前記駆動範囲指示手段からの信号を受けて、前記制御手段が前記駆動手段の動作範囲を規制する空気調和機。
【請求項２】
前記風向変更羽根は上下方向風向を制御する上下方向風向変更羽根であり、下方に吹出す風の風向を制限するように前記駆動手段の動作範囲を規制する請求項１記載の空気調和機。
【請求項３】
前記風向変更羽根は上下方向風向を制御する上下方向風向変更羽根であり、前方に吹出す風の風向を制限するように前記駆動手段の動作範囲を規制する請求項１記載の空気調和機。
【請求項４】
前記風向変更羽根は水平方向風向を制御する水平方向風向変更羽根であり、左右いずれかの方向に吹出す風の風向を制限するように前記駆動手段の動作範囲を規制する請求項１記載の空気調和機。
【発明の詳細な説明】
【技術分野】
【０００１】
本発明は空気調和機における上下方向の風向変更羽根の制御方法に関するものである。
【背景技術】
【０００２】
従来、この種の空気調和機には、空気調和機の吹出口において、回動可能な腕部を介して上下方向の風向を制御する風向変更羽根を具備しているものがある（例えば、特許文献１参照）。
【０００３】
図５は、特許文献１に記載された従来の空気調和機を示すものである。図５に示すように、空気調和機１０１の吹出口１０２には、空気調和機の送風機であるクロスフローファン１０３と、腕部１０４と、風向変更羽根１０５と、腕部１０４の駆動手段である第１のモータ１０６と風向変更羽根１０５の駆動手段である第２のモータ１０７（第１のモータ１０６と同軸上に配置）と腕部１０４に内蔵された前記第２のモータ１０７の軸出力伝達機構１０８から構成されている。腕部１０４は、第１のモータ１０６により腕部回動範囲において自在の位置に固定される。また、風向変更羽根１０５は、第２のモータ１０７により腕部１０４に内蔵された軸出力伝達機構１０８を介して、腕部１０４の位置に対して、風向変更羽根１０５が吹出口１０２に接触しないで回転可能な風向変更羽根回動範囲Ｘ内で自在の位置に固定することができる。
【０００４】
この構成により、図６（ａ）に示すように風向変更羽根１０５が吹出口１０２の下面を塞ぐことにより風向は前向きとなり、使用者に直接を当てずに部屋の奥まで風を送ることが快適性向上につながる冷房運転に用いられる。
【０００５】
また、図６（ｂ）に示すように風向変更羽根１０５が吹出口１０２の前面を塞ぐことにより風向は下向きとなり、床面に風を送ることが快適性向上につながる暖房運転に用いられる。
【０００６】
そして、前記従来の構成では、腕部１０４の前端部が吹出口１０２より突出し、その前端部に風向変更羽根１０５を回動自在に設けることにより、風向変更羽根１０５の回動領域が、吹出口１０６に大きく阻害されずに広がる。
【０００７】
そのため、冷房運転時、暖房運転時共に風向変更羽根１０５を最適な位置に配置させることが可能となり、風向制御能力に優れ空気調和機を提供することができる。
【特許文献１】特開２００２−３１４００号公報
【発明の開示】
【発明が解決しようとする課題】
【０００８】
しかしながら、図７（ａ）に示すように空気調和機１０１の前方に大きく突き出した鴨居１０９が設けてあり、かつ鴨居１０９の奥の部分にも空気調和機１０１からの風を送りたい場合、図６（ａ）に示す風向変更羽根１０５の配置であると、図７（ａ）に示すように空気調和機１０１から吹出された前向きの風の一部が鴨居１０９にぶつかり、鴨居１０９の奥の部分に風が届きにくいという不都合が生じる。
【０００９】
また、図７（ｂ）に示すように空気調和機１０１の下部に本箱などの家具１１０を置かざるを得ない場合、図６（ｂ）に示す風向変更羽根１０５の配置であると、図７（ｂ）に示すように空気調和機１０１から吹出された下向きの風が家具１１０の上面にぶつかり、床面まで風が届きにくいという不都合が生じる。
【００１０】
本発明は、前記従来の課題を解決するもので、風向を制御する風向変更羽根を具備している空気調和機において、設置された居室の条件に合わせて風向を制御し、在室者に快適性を提供することを目的とする。
【課題を解決するための手段】
【００１１】
このような従来の課題を解決するために、本発明の空気調和機は、吹出し口から吹出される風の風向を制御する風向変更羽根と、風向変更羽根を動かす駆動手段と、駆動手段を制御する制御手段と、風向変更羽根の駆動範囲を指示する駆動範囲指示手段とを有し、駆動範囲指示手段からの信号を受けて、制御手段が駆動手段の動作範囲を規制するものである。
【発明の効果】
【００１２】
本発明の空気調和機は、風向変更羽根を動かす駆動手段の動作範囲を規制する駆動範囲指示手段を設けることにより、空気調和機を設置した居室の条件に合わせた風向制御が実現でき、吹出口から吹出される風を有効に利用して在室者に快適性を提供することができる。
【発明を実施するための最良の形態】
【００１３】
本発明は、吹出し口から吹出される風の風向を制御する風向変更羽根と、風向変更羽根を動かす駆動手段と、駆動手段を制御する制御手段と、風向変更羽根の駆動範囲を指示する駆動範囲指示手段とを有し、駆動範囲指示手段からの信号を受けて、制御手段が駆動手段の動作範囲を規制するものである。
【００１４】
風向変更羽根を動かす駆動手段の動作範囲を規制する駆動範囲指示手段を設けることにより、空気調和機を設置した居室の条件に合わせた風向制御が実現でき、吹出口から吹出される風を有効に利用して在室者に快適性を提供することができる。
【００１５】
また、本発明は、風向変更羽根は上下方向風向を制御する上下方向風向変更羽根であり、下方に吹出す風の風向を制限するように駆動手段の動作範囲を規制するものである。
【００１６】
空気調和機の下方に家具などの障害物がある場合でも、その障害物を避けて吹出口からの風を下方に流すことができ、特に暖房運転時に有効である。
【００１７】
また、本発明は、風向変更羽根は上下方向風向を制御する上下方向風向変更羽根であり、前方に吹出す風の風向を制限するように駆動手段の動作範囲を規制するものである。
【００１８】
空気調和機の前方に鴨居などの障害物がある場合でも、その障害物を避けて吹出口からの風を前方に向わせることができ、特に冷房運転時に有効である。
【００１９】
また、本発明は、風向変更羽根は水平方向風向を制御する水平方向風向変更羽根であり、左右いずれかの方向に吹出す風の風向を制限するように駆動手段の動作範囲を規制するものである。
【００２０】
空気調和機を居室の端に設置した場合、左右いずれかの方向に吹出す風は壁面にぶつかり、前方あるいは下方に吹出す風の勢いが弱まり効率の悪い風向制御となる。空気調和機が設置された居室の条件に合わせて左右いずれかの方向に吹出す風の風向を制限することにより、効率の良い風向制御が実現できる。
【００２１】
以下、本発明の実施の形態について、図面を参照しながら説明する。なお、この実施の
形態によって本発明が限定されるものではない。
（実施の形態１）
図１は、本発明の第１の実施の形態における空気調和機の構成を示すものである。
【００２２】
図１に示すように、空気調和機１の吹出口２には、変動溝３ａに沿って突出変動可能な腕部３と、腕部３を介して上下方向の風向を制御する風向変更羽根４と、腕部３を駆動する腕部駆動手段である第１のモータ５と、風向変更羽根４を駆動する風向変更羽根駆動手段である第２のモータ６と、第１のモータ５および第２のモータ６の駆動を制御する制御手段７と、風向変更羽根４の回動範囲を規制するように制御手段７に動作範囲規制信号を発信する駆動範囲指示手段８を有する。
【００２３】
ここで、第１のモータ５および第２のモータ６はクラッチ機構を有するステッピングモータで構成されており、制御手段７から出力される駆動パルスに応じて腕部３は突出変動し、風向変更羽根４は回動する。
【００２４】
また、駆動範囲指示手段８は空気調和機１の操作手段であるリモコン９にその機能が内蔵されている。
【００２５】
以上のように構成された空気調和機１について、以下その動作を説明する。
【００２６】
図２（ａ）に示すように、空気調和機１の風向変更羽根４は、冷房運転時、冷気を居室の奥まで届けるように吹出口２の下面を塞ぐように略水平に配置される。しかし、空気調和機１の前方に障害物となる鴨居１０が設けられている場合、吹出口２から吹出された冷気１１ａは一部が鴨居１０にぶつかり、その勢いが損なわれ居室の奥まで冷気が届かなくなる。
【００２７】
そこで、図１に示した駆動範囲指示手段８から制御手段７に風向変更羽根４の動作範囲を規制する信号を発信することにより、風向変更羽根駆動手段である第２のモータ６の駆動範囲を規制し、風向変更羽根４の回動範囲を規制することにより、風向変更羽根４は図（ｂ）に示すように前端部４ａが下方を向く配置となり、吹出口２から吹出された冷気１１ｂは鴨居１０の下方を流れ、居室の奥まで冷気が流れる。なお、図２では図１に示した腕部３を省略している。
【００２８】
また、図１に示した駆動範囲指示手段８からの指示は空気調和機１の運転を停止する毎に取消される構成でも良いが、通常鴨居１０の配置など居室の条件は変更されないので、駆動範囲指示手段８からの取消指示の信号が制御手段７に発信されるまでは、駆動範囲指示手段８からの駆動範囲を規制する指示は制御手段７に記憶される構成が好ましい。
【００２９】
また、上記駆動範囲の規制は風向変更羽根４の配置を固定する場合、自動で風向変更羽根４を回動させる場合、いずれにも有効とすることが可能である。
（実施の形態２）
図３は、本発明の第２の実施の形態における空気調和機の動作説明図である。
【００３０】
図３の空気調和機１の構成は、図１に示す空気調和機１の構成と同様であり、説明は図１の説明を援用する。
【００３１】
以上のように構成された空気調和機１について、以下その動作、作用を説明する。
【００３２】
図３（ａ）に示すように、空気調和機１の風向変更羽根４は、暖房運転時、暖気を床面まで届けるように吹出口２の前面を塞ぐように配置される。しかし、空気調和機１の下部
に障害物となる家具１２が設置されている場合、吹出口２から吹出された暖気１３ａは一部が家具１２にぶつかり、その勢いが損なわれ床面まで暖気が届かなくなる。
【００３３】
そこで、図１に示した駆動範囲指示手段８から制御手段７に風向変更羽根４の動作範囲を規制する信号を発信することにより、風向変更羽根駆動手段である第２のモータ６の駆動範囲を規制し、風向変更羽根４の回動範囲を規制することにより、風向変更羽根４は図３（ｂ）に示すように下端部４ｂが上方を向く配置となり、吹出口２から吹出された暖気１３ｂは家具１２の前方を流れ、床面まで暖気が流れる。なお、図３では図１に示した腕部３を省略している。
【００３４】
また、図１に示した駆動範囲指示手段８からの指示は空気調和機１の運転を停止する毎に取消される構成でも良いが、家具１２の配置など居室の条件は頻繁に変更されないので、駆動範囲指示手段８からの取消指示の信号が制御手段７に発信されるまでは、駆動範囲指示手段８からの駆動範囲を規制する指示は制御手段７に記憶される構成が好ましい。
【００３５】
また、上記駆動範囲の規制は風向変更羽根４の配置を固定する場合、自動で風向変更羽根４を回動させる場合、いずれにも有効とすることが可能である。
（実施の形態３）
図４は、本発明の第３の実施の形態における空気調和機の動作説明図であり、上方から見た図である。
【００３６】
図４に示すように空気調和機１の吹出口２には、水平方向の風向を制御する水平方向変更羽根１４と、水平方向変更羽根１４を駆動する水平方向変更羽根駆動手段である第３のモータ１５と、第３のモータ１５の駆動を制御する制御手段７と、水平方向変更羽根１４の回動範囲を規制するように制御手段７に動作範囲規制信号を発信する駆動範囲指示手段８を有する。
【００３７】
以上のように構成された空気調和機１について、以下その動作、作用を説明する。
【００３８】
図４（ａ）に示すように、空気調和機１の水平方向風向変更羽根１４は、広範囲に吹出し風を遅れるように、第３のモータ１５によって左右に回動している。しかし、空気調和機１が居室の端に設置されていることから、左側に吹出された風１６ａは壁面１７にぶつかり、その勢いが損なわれ効率の悪い風向制御となる。
【００３９】
そこで、駆動範囲指示手段８から制御手段７に水平方向風向変更羽根１４の動作範囲を規制する信号を発信することにより、水平方向風向変更羽根駆動手段である第３のモータ１５の駆動範囲を規制し、水平方向風向変更羽根１４の回動範囲を規制することにより、図４（ｂ）に示すように、水平方向風向変更羽根１４を吹出口２から吹出される風１６ｂが壁面１７にぶつからない範囲で回動させ、効率の良い風向制御を実現する。
【００４０】
なお、駆動範囲指示手段８からの指示は空気調和機１の運転を停止する毎に取消される構成でも良いが、空気調和機１と壁面１７の位置関係など居室の条件は変更されないので、駆動範囲指示手段８からの取消指示の信号が制御手段７に発信されるまでは、駆動範囲指示手段８からの駆動範囲を規制する指示は制御手段７に記憶される構成が好ましい。
【００４１】
また、上記駆動範囲の規制は水平方向風向変更羽根１４の配置を固定する場合、自動で水平方向風向変更羽根１４を回動させる場合、いずれにも有効とすることが可能である。
【産業上の利用可能性】
【００４２】
以上のように、本発明に係る空気調和機は設置される居室の条件に合わせて吹出口から
の気流の方向を自在に制御し、在室者の好みの気流や快適性を提供することができ、種々条件の異なる居室において利用することができる。
【図面の簡単な説明】
【００４３】
【図１】本発明の第１の実施の形態における空気調和機の構成図
【図２】同空気調和機の動作説明図
【図３】本発明の第２の実施の形態における空気調和機の動作説明図
【図４】本発明の第３の実施の形態における空気調和機の動作説明図
【図５】従来の空気調和機の構成図
【図６】同空気調和機の動作説明図
【図７】同空気調和機の動作説明図
【符号の説明】
【００４４】
１    空気調和機
２    吹出口
４    風向変更羽根
５    第１のモータ（腕部駆動手段）
６    第２のモータ（風向変更羽根駆動手段）
７    制御手段
８    駆動範囲指示手段
１４    水平方向風向変更羽根
１５    第３のモータ（水平方向風向変更羽根駆動手段）
１７    壁面
【図１】
2008122005.tif 000003
【図２】
2008122005.tif 000004
【図３】
2008122005.tif 000005
【図４】
2008122005.tif 000006
【図５】
2008122005.tif 000007
【図６】
2008122005.tif 000008
【図７】
2008122005.tif 000009